(57)【特許請求の範囲】
【請求項１】
ボイラの保守点検等のためにボイラ内に構築するボイラ内足場の構築方法において、
ボイラホッパーの対向するホッパー壁面間の長さを有する作業床を、前記ホッパー壁面間に跨るように、前記ホッパー壁面間に上下多段に複数個、載置して、ホッパー内足場を構築し、次いで、前記ホッパー内足場の上方に、最上段の前記作業床を主梁とし、前記主梁上で足場板を前記主梁間に差し渡すことによって昇降全面作業床を構築し、前記昇降全面作業床をジャッキにより昇降可能にボイラ本体内に吊り下げることを特徴とする、ボラ内足場の構築方法。
【請求項２】
前記ジャッキとして、所定長さの板材を互いにピンにより連結した吊り板をジャッキ本体により吊り下げ、吊り上げる吊り板式ジャッキを使用し、前記昇降全面作業床を前記吊り板に固定することを特徴とする、請求項１に記載の、ボイラ内足場の構築方法。
【請求項３】
前記ジャッキとして、前記ジャッキとして、センターホールジャッキを使用し、前記昇降全面作業床を前記センターホールジャッキのストランドに固定することに特徴を有する請求項１に記載の、ボイラ内足場の構築方法。
【請求項４】
ボイラの保守点検等のためにボイラ内に構築するボイラ内足場において、ボイラホッパーの対向するホッパー壁面間の長さを有し、前記ホッパー壁面間に跨るように、前記ホッパー壁面間に上下多段に載置される複数個の作業床からなるホッパー内足場と、前記ホッパー内足場の最上段の前記作業床を主梁とし、前記主梁間に足場板を差し渡したものからなる昇降全面作業床と、前記昇降全面作業床をボイラ本体内に昇降可能に吊り下げるジャッキとからなることを特徴とするボイラ内足場。
【請求項５】
前記ジャッキは、所定長さの板材を互いにピンにより連結した吊り板をジャッキ本体により吊り下げ、吊り上げる吊り板式ジャッキからなり、前記昇降全面作業床は、前記吊り板に固定されていることを特徴とする、請求項４に記載のボイラ内足場。
【請求項６】
前記ジャッキは、センターホールジャッキからなり、前記昇降全面作業床は、前記センターホールジャッキのストランドに固定されていることを特徴とする、請求項４に記載のボイラ内足場。
【請求項７】
前記主梁間に、支持梁が差し渡されていることを特徴とする、請求項４から６の何れか１つに記載のボイラ内足場。
【請求項８】
前記足場板は、前記足場板を互いに並べて前記主梁間に差し渡したときに、隣接する前記足場板または前記支持梁の上面に端部が重なる荷重分散板が前記足場板に固定されていることを特徴とする、請求項４から７の何れか１つに記載のボイラ内足場。
【請求項９】
前記荷重分散板は、前記足場板に斜めに固定されていることを特徴とする、請求項８に記載のボイラ内足場。
【発明の詳細な説明】
【技術分野】
【０００１】
この発明は、ボイラ内足場およびその構築方法、特に、ボイラの保守点検等のためにボイラ内に構築するボイラ内足場を、容易かつ短期間にしかも安価に構築することができるボイラ内足場およびその構築方法に関するものである。
【背景技術】
【０００２】
例えば、火力発電所に設置されている大型ボイラの炉壁やバーナーボックス等の保守点検等は、ボイラ内に足場を構築することにより行われている。
【０００３】
ボイラ内に構築された従来のボイラ内足場の一例を、図面を参照しながら説明する。以下、この従来のボイラ内足場を従来足場という。
【０００４】
図９は、従来足場を示す斜視図である。
【０００５】
図９に示すように、従来足場は、ホッパー内足場Ａ、固定全面作業床Ｂおよび昇降全面作業床Ｃからなっている。
【０００６】
ホッパー内足場Ａは、ボイラ本体１の下部のボイラホッパー２内に構築され、固定全面作業床Ｂは、ホッパー内足場Ａの上に構築され、昇降全面作業床Ｃは、固定全面作業床Ｂの上方に構築され、複数台のジャッキ２３によりボイラ本体１内を昇降可能になっている。
【０００７】
ジャッキ２３は、この例では、センターホールジャッキからなり、ジャッキ本体２４と、ジャッキ本体２４により間歇的に吊り下げ、吊り上げられるストランド２５とを備え、ストランド２５の下端は、昇降全面作業床Ｃに固定されている。これにより、昇降全面作業床Ｃは、ジャッキ２３により間歇的にボイラ本体１の所定高さ位置に昇降可能になっている。
【０００８】
上述した従来足場によれば、昇降作全面業床Ｃをジャッキ２３により所定高さ位置まで昇降させることにより、ボイラの保守点検等は、昇降全面作業床Ｃを介して確実に行うことができる。
【０００９】
次に、従来足場の構築方法を、図面を参照しながら説明する。以下、この従来足場の構築方法を従来足場構築方法という。
【００１０】
図１０（ａ）から（ｃ）は、従来足場構築方法によるホッパー内足場Ａの構築方法を示す斜視図であり、（ａ）は、一段目の足場ブロックの構築状態を示す斜視図、（ｂ）は、二段目の足場ブロックの構築状態を示す斜視図、（ｃ）は、三段目の足場ブロックの構築状態を示す斜視図である。
【００１１】
図１１（ａ）から（ｃ）は、従来足場構築方法による固定全面作業床Ｂの構築方法を示す斜視図であり、（ａ）は、固定全面作業床Ｂの横梁の設置状態を示す斜視図、（ｂ）は、固定全面作業床Ｂの縦梁の設置状態を示す斜視図、（ｃ）は、固定全面作業床Ｂを示す斜視図である。
【００１２】
なお、図１１において、ホッパー内足場Ａは、図示していない。
【００１３】
従来足場構築方法により従来足場を構築するには、先ず、ボイラホッパー２内にホッパー内足場Ａを構築する。すなわち、図１０（ａ）に示すように、ボイラホッパー２の底部に、一段目の足場ブロック２６を設置する。各一段目の足場ブロック２６は、それぞれ基礎足場３４の上に１個、構築される。一段目の足場ブロック２６の設置が完了したら、同図（ｂ）に示すように、一段目の各足場ブロック２６の上に複数個（この例では、２個）の二段目の足場ブロック２７を乗せ、相互に連結する。二段目の足場ブロック２７の設置が完了したら、同図（ｃ）に示すように、各二段目の足場ブロック２７の上に複数個（この例では、３個）の三段目の足場ブロック２８を乗せ、相互に連結する。このようにして、ボイラホッパー２内にホッパー内足場Ａを構築する。ホッパー内足場Ａは、固定全面作業床Ｂを構築するための足場である。
【００１４】
なお、各足場ブロックの設置時に、各足場ブロック間に渡り歩廊２９および斜めサポート３５を設置する。また、各足場ブロック等の各種部材のボイラホッパー２内への搬入は、ボイラホッパー２の底部の開口２Ａあるいは点検孔（図示せず）からクレーン等により行う。これは、以下に説明する固定全面作業床Ｂおよび昇降全面作業床Ｃの構築の場合においても同様である。
【００１５】
次に、図１１（ａ）に示すように、ホッパー内足場Ａの上に上部フレーム１０を取り付け、上部フレーム３０に横梁３１を設置する。この後、同図（ａ）に示すように、上部フレーム３０に縦梁３２を設置する。そして、同図（ｃ）に示すように、横梁３１と縦梁３２の間に足場板３３を全面に渡す。このようにして、ホッパー内足場Ａの上に固定全面作業床Ｂを構築する。
【００１６】
次に、図９に示すように、固定全面作業床Ｂの上に昇降全面作業床Ｃを構築する。昇降全面作業床Ｃは、固定全面作業床Ｂにおけると同様に、横梁と縦梁とこれらの梁間に足場板（何れも、図示せず）を全面に渡り、張り渡し、固定したものからなる。昇降全面作業床Ｃの構築作業は、全て固定全面作業床Ｂの上で行われる。昇降全面作業床Ｃの構築作業を、全て固定全面作業床Ｂの上で行う理由は、昇降全面作業床Ｃを構成する横梁と縦梁等の部材は、一体物ではなく、短材を連結したものであるので、強度上、構築中の昇降全面作業床Ｃの上に乗って作業をすることができないからである。
【００１７】
このようにして、昇降全面作業床Ｃを構築したら、ボイラ本体１の頂部に複数台のジャッキ本体２４を設置し、ストランド２５の下端を昇降全面作業床Ｃに固定する。
【００１８】
以上のようにして、従来足場構築方法により、ホッパー内足場Ａ、固定全面作業床Ｂおよび昇降全面作業床Ｃからなる従来足場が構築される。
【先行技術文献】
【特許文献】
【００１９】
【特許文献１】特許第２８２８４３０号公報
【発明の概要】
【発明が解決しようとする課題】
【００２０】
上述の従来足場構築方法によれば、ボイラの保守点検等を行う昇降全面作業床Ｃを確実にボイラ本体１内に構築することは可能であるが、以下のような問題があった。
【００２１】
（１）ホッパー内足場Ａは、多数個のを左右に連結しながら、足場ブロック２６、２７、２８を上下多段に積み重ねることによって構築するので、ホッパー内足場Ａの構築に時間と手間がかかる。
【００２２】
（２）昇降全面作業床Ｃは、ホッパー内足場Ａの上に構築した固定全面作業床Ｂを介して構築するので、作業床を重複して構築することになり、この結果、ボイラ内足場の工期が長くなり、その分、工費がかかる。
【００２３】
従って、この発明の目的は、ボイラの保守点検等のためにボイラ内に構築するボイラ内足場を、容易かつ短期間にしかも安価に構築することができるボイラ内足場およびその構築方法を提供することにある。
【課題を解決するための手段】
【００２４】
この発明は、上記目的を達成するためになされたものであって、下記を特徴とするものである。
【００２５】
[１]  ボイラの保守点検等のためにボイラ内に構築するボイラ内足場の構築方法において、ボイラホッパーの対向するホッパー壁面間の長さを有する作業床を、前記ホッパー壁面間に跨るように、前記ホッパー壁面間に上下多段に複数個、載置して、ホッパー内足場を構築し、次いで、前記ホッパー内足場の上方に、最上段の前記作業床を主梁とし、前記主梁上で足場板を前記主梁間に差し渡すことによって昇降全面作業床を構築し、前記昇降全面作業床をジャッキにより昇降可能にボイラ本体内に吊り下げることに特徴を有するものである。
【００２６】
[２]  [１]に記載のボイラ内足場の構築方法において、前記ジャッキとして、所定長さの板材を互いにピンにより連結した吊り板をジャッキ本体により吊り下げ、吊り上げる吊り板式ジャッキを使用し、前記昇降全面作業床を前記吊り板に固定することに特徴を有するものである。
【００２７】
[３]  [１]に記載のボイラ内足場の構築方法において、前記ジャッキとして、前記ジャッキとして、センターホールジャッキを使用し、前記昇降全面作業床を前記センターホールジャッキのストランドに固定することに特徴を有するものである。
【００２８】
[４]  ボイラの保守点検等のためにボイラ内に構築するボイラ内足場において、ボイラホッパーの対向するホッパー壁面間の長さを有し、前記ホッパー壁面間に跨るように、前記ホッパー壁面間に上下多段に載置される複数個の作業床からなるホッパー内足場と、前記ホッパー内足場の最上段の前記作業床を主梁とし、前記主梁間に足場板を差し渡したものからなる昇降全面作業床と、前記昇降全面作業床をボイラ本体内に昇降可能に吊り下げるジャッキとからなることに特徴を有するものである。
【００２９】
[５]  [４]に記載のボイラ内足場において、前記ジャッキは、所定長さの板材を互いにピンにより連結した吊り板をジャッキ本体により吊り下げ、吊り上げる吊り板式ジャッキからなり、前記昇降全面作業床は、前記吊り板に固定されていることに特徴を有するものである。
【００３０】
[６]  [４]に記載のボイラ内足場において、前記ジャッキは、センターホールジャッキからなり、前記昇降全面作業床は、前記センターホールジャッキのストランドに固定されていることに特徴を有するものである。
【００３１】
[７]  [４]から[６]の何れか１つに記載のボイラ内足場において、前記主梁間に、支持梁が差し渡されていることに特徴を有するものである。
【００３２】
[８]  [４]から[７]の何れか１つに記載のボイラ内足場において、前記足場板は、前記足場板を互いに並べて前記主梁間に差し渡したときに、隣接する前記足場板または前記支持梁の上面に端部が重なる荷重分散板が前記足場板に固定されていることに特徴を有するものである。
【００３３】
[９]  [８]に記載のボイラ内足場において、前記荷重分散板は、前記足場板に斜めに固定されていることに特徴を有するものである。
【発明の効果】
【００３４】
この発明によれば、ボイラの保守点検等のためにボイラ内に構築するボイラ内足場を、容易かつ短期間にしかも安価に構築することができる。すなわち、ホッパー内足場は、作業床をボイラホッパーの対向する壁面に単に載置するのみで構築することができるので、ホッパー内足場を短期間で構築することができる。しかも、ホッパー内足場の最上段の作業床を主梁とすることにより、主梁上で昇降全面作業床の構築作業が行えるので、ホッパー内足場上に固定全面作業床を構築する必要がなくなる。このように１つの全面作業床を構築するのみで済むので、ホッパー内足場を短期間で構築することと合わせて、ボイラ内足場を、容易かつ短期間にしかも安価に構築することができる。
【図面の簡単な説明】
【００３５】
【図１】この発明のボイラ内足場を示す斜視図である。
【図２（ａ）】この発明によるホッパー内足場Ｄの構築方法を示す斜視図のうち、一段目の作業床の構築状態を示す斜視図である。
【図２（ｂ）】この発明によるホッパー内足場Ｄの構築方法を示す斜視図のうち、二段目の作業床の構築状態を示す斜視図である。
【図２（ｃ）】この発明によるホッパー内足場Ｄの構築方法を示す斜視図のうち、三段目の作業床の構築状態を示す斜視図である。
【図２（ｄ）】この発明によるホッパー内足場Ｄの構築方法を示す斜視図のうち、四段目の作業床の構築状態を示す斜視図である。
【図２（ｅ）】この発明によるホッパー内足場Ｄの構築方法を示す斜視図のうち、ボイラホッパー内に構築されたホッパー内足場Ｄを示す斜視図である。
【図３】この発明による昇降全面作業床Ｅの構築方法を示す斜視図であり、（ａ）は、支持梁の構築状態を示す斜視図、（ｂ）は、足場板の構築状態を示す斜視図、（ｃ）は、構築された昇降全面作業床Ｅにセンターホールジャッキのストランドを固定した状態を示す斜視図である。
【図４】図３（ｃ）の側面図である。
【図５】主梁となる最上段の作業床を示す斜視図である。
【図６】足場板を示す平面図である。
【図７】足場板の設置状態を示す斜視図である。
【図８】足場板の設置状態を示す側面図である。
【図９】従来足場を示す斜視図である。
【図１０】従来足場構築方法によるホッパー内足場Ａの構築方法を示す斜視図であり、（ａ）は、一段目の足場ブロックの構築状態を示す斜視図、（ｂ）は、二段目の足場ブロックの構築状態を示す斜視図、（ｃ）は、三段目の足場ブロックの構築状態を示す斜視図である。
【図１１】従来足場構築方法による固定全面作業床Ｂの構築方法を示す斜視図であり、（ａ）は、固定全面作業床の横梁の設置状態を示す斜視図、（ｂ）は、固定全面作業床の縦梁の設置状態を示す斜視図、（ｃ）は、固定全面作業床を示す斜視図である。
【発明を実施するための形態】
【００３６】
この発明のボイラ内足場の一実施態様を、図面を参照しながら説明する。
【００３７】
図１は、この発明のボイラ内足場を示す斜視図である。
【００３８】
図１に示すように、この発明のボイラ内足場は、ホッパー内足場Ｄおよび昇降全面作業床Ｅからなっている。
【００３９】
ホッパー内足場Ｄは、ボイラ本体１の下部のボイラホッパー２内に構築され、昇降全面作業床Ｅは、ホッパー内足場Ｄの上方に構築され、複数台のジャッキ３によりボイラ本体１内を昇降可能になっている。
【００４０】
ジャッキ３は、この例では、センターホールジャッキからなり、ジャッキ本体４と、ジャッキ本体４により間歇的に吊り下げ、吊り上げられるストランド５とを備え、ストランド５の下端は、昇降全面作業床Ｅに固定されている。これにより、昇降全面作業床Ｅは、ジャッキ３により間歇的にボイラ本体１の所定高さ位置に昇降可能になっている。
【００４１】
センターホールジャッキとしては、特許文献１（特許第２８２８４３０号公報）に開示されるジャッキを使用すると良い。
【００４２】
なお、ジャッキ３は、センターホールジャッキ以外に、所定長さの板材を互いにピンにより連結した吊り板をジャッキ本体により吊り下げ、吊り上げる吊り板式ジャッキからなるものであっても良い。この場合、昇降全面作業床Ｅは、前記吊り板に固定される。
【００４３】
上述した、この発明のボイラ内足場によれば、昇降作全面業床Ｅをジャッキ３により所定高さ位置まで昇降させることにより、ボイラの保守点検等は、昇降全面作業床Ｅを介して確実に行うことができる。
【００４４】
次に、この発明のボイラ内足場の構築方法を、図面を参照しながら説明する。
【００４５】
図２（ａ）から（ｅ）は、この発明によるホッパー内足場Ｄの構築方法を示す斜視図であり、図３（ａ）から（ｃ）は、この発明による昇降全面作業床Ｅの構築方法を示す斜視図である。
【００４６】
なお、図３において、ホッパー内足場Ｄは、図示していない。
【００４７】
この発明によりボイラ内足場を構築するには、先ず、ボイラホッパー２内にホッパー内足場Ｄを構築する。すなわち、図２（ａ）に示すように、ボイラホッパー２の底部の対向するホッパー壁面間に一段目の作業床６を載置する。作業床６は、図５に示すように、床板６Ａと手摺６Ｂからなり、載置する位置のホッパー壁面間の長さを有し、一体物によって構成されている。後述する作業床７、８、９も長さが上段ほど長くなるだけで、構成は、作業床６と同様である。
【００４８】
一段目の作業床６の設置が完了したら、同図（ｂ）に示すように、一段目の作業床６の上の対向するホッパー壁面間に二段目の作業床７を載置する。二段目の作業床７の載置が完了したら、同図（ｃ）に示すように、二段目の作業床７の上のホッパー壁面間に三段目の作業床８を載置する。三段目の作業床８の載置が完了したら、同図（ｄ）に示すように、三段目の作業床８の上のホッパー壁面間に四段目の作業床９を載置する。この最上段の四段目の作業床９が昇降全面作業床Ｅの主梁となる。
【００４９】
なお、各作業床等の各種部材のボイラホッパー２内への搬入は、ボイラホッパー２の底部の開口２Ａあるいは点検孔（図示せず）からクレーン等により行う。これは、以下に説明する昇降全面作業床Ｅの構築の場合においても同様である。
【００５０】
このようにして、図２（ｅ）に示すように、ボイラホッパー２内にホッパー内足場Ｄを構築する。ホッパー内足場Ｄの構築は、各作業床をホッパー壁面に載置するのみで済むので、上述した従来足場と比べて短期間で済む。
【００５１】
次に、ホッパー内足場Ｄの最上段、すなわち、四段目の作業床９を昇降全面作業床Ｅの主梁として、図３（ａ）に示すように、前記主梁間に支持梁１０を差し渡す。この作業は、図８に示すように、前記主梁上に作業員が乗ることにより行う。
【００５２】
次に、図３（ｂ）および図７に示すように、前記主梁間に足場板１１を差し渡して、昇降全面作業床Ｅを構築する。この作業も図８に示すように、前記主梁上に作業員が乗ることにより行う。
【００５３】
なお、図７から図８に示すように、足場板１１の中央部上面に、端部が足場板１１から一部突出する荷重分散板１２を、足場板１１に対して斜めに固定すれば、足場板１１を互いに並べて前記主梁間に差し渡したときに、隣接する足場板１１の上面に荷重分散板１２の端部が重なるので、足場板１１の荷重が分散される。この結果、足場板１１の撓みが軽減されて、足場板１１の強度が増す。荷重分散板１２を足場板１１に対して斜めに固定したのは、図６に示すように、隣接する荷重分散板１２同士の干渉を防ぐためである。
【００５４】
なお、図６に示すように、荷重分散板１２の端部を前記主梁間に差し渡された支持梁１０の上面に重ねれば、足場板１１にかかる荷重の一部が支持梁１０にかかるので、これによっても足場板１１の撓みが軽減されて、足場板１１の強度がさらに増す。
【００５５】
荷重分散板１２の足場板１１への固定位置は、必ずしも中央部でなくても良く、また、荷重分散板１２の足場板１１への固定方向は、必ずしも斜めでなくても良い。
【００５６】
このように、昇降全面作業床Ｅは、最上段の作業床９を主梁とし、この主梁上に作業員が乗って構築することができるので、上述した従来足場のように、ホッパー内足場Ｄの上に固定全面作業床Ｂを構築する必要がなくなる。従って、ホッパー内足場Ｄを短期間で構築することと合わせて、ボイラ内足場を、容易かつ短期間にしかも安価に構築することができる。
【００５７】
このようにして、昇降全面作業床Ｅを構築したら、図１に示すように、ボイラ本体１の頂部に複数台のジャッキ本体４を設置し、図３（ｃ）および図４に示すように、ストランド５の下端を昇降全面作業床Ｅに固定する。
【００５８】
以上のようにして、この発明により、ホッパー内足場Ｄおよび昇降全面作業床Ｅからなる、この発明のボイラ内足場が構築される。
【００５９】
以上説明したように、この発明によれば、ホッパー内足場Ｄは、作業床をボイラホッパー２の対向する壁面に単に載置するのみで構築することができるので、従来足場構築方法に比べて、ホッパー内足場Ｄを短期間で構築することができる。しかも、ホッパー内足場Ｄの最上段の作業床を主梁とすることにより、主梁上で昇降全面作業床Ｅの構築作業が行えるので、従来足場のように、ホッパー内足場Ｄ上に固定全面作業床Ｂを構築する必要がなくなる。このように１つの全面作業床の構築するのみで済むので、ホッパー内足場Ｄを短期間で構築することと合わせて、ボイラ内足場を、容易かつ短期間にしかも安価に構築することができる。
【符号の説明】
【００６０】
Ａ：ホッパー内足場
Ｂ：固定全面作業床
Ｃ：昇降全面作業床
Ｄ：ホッパー内足場
Ｅ：この発明の昇降全面作業床
１：ボイラ本体
２：ボイラホッパー
２Ａ：開口
３：ジャッキ
４：ジャッキ本体
５：ストランド
６：一段目の作業床
６Ａ：床板
６Ｂ：手摺
７：二段目の作業床
８：三段目の作業床
９：四段目の作業床
１０：支持梁
１１：足場板
１２：荷重分散板
２３：ジャッキ
２４：ジャッキ本体
２５：ストランド
２６：一段目の足場ブロック
２７：二段目の足場ブロック
２８：三段目の足場ブロック
２９：渡り歩廊
３０：上部フレーム
３１：横梁
３２：縦梁
３３：足場板
３４：基礎足場
３５：斜めサポート
【図１】
0005245104.tif 000002
【図２（ａ）】
0005245104.tif 000003
【図２（ｂ）】
0005245104.tif 000004
【図２（ｃ）】
0005245104.tif 000005
【図２（ｄ）】
0005245104.tif 000006
【図２（ｅ）】
0005245104.tif 000007
【図３】
0005245104.tif 000008
【図４】
0005245104.tif 000009
【図５】
0005245104.tif 000010
【図６】
0005245104.tif 000011
【図７】
0005245104.tif 000012
【図８】
0005245104.tif 000013
【図９】
0005245104.tif 000014
【図１０】
0005245104.tif 000015
【図１１】
0005245104.tif 000016